(57)【要約】【課題】前後、左右、上下のいずれの方向の耐圧強度も大きい槽内の充填構造と、これに用いる充填材を提供する。【解決手段】前後方向の２本以上のパイプ２と左右方向の２本以上のパイプ３を交互に積み上げると共に、これらのパイプの間に上下方向の２本以上のパイプ４を設けて、槽１内に充填した構造とする。パイプ２によって前後方向の耐圧強度が高められ、パイプ３によって左右方向の耐圧強度が高められ、パイプ４によって上下方向の耐圧強度が高められる。上下方向のパイプ４は、前後方向のパイプ２に一体形成した縦短管４ａと、左右方向のパイプ３に一体形成した縦短管４ａを、上下に接続して設けるのがよい。充填材は、横パイプの両側に、上下に接続可能な複数本の縦短管を一体形成した構成とする。【選択図】　図１
2004003182.tif 000002
【特許請求の範囲】
【請求項１】
前後方向の２本以上のパイプと左右方向の２本以上のパイプを交互に積み上げると共に、これらのパイプの間に上下方向の２本以上のパイプを設けて、槽内に充填したことを特徴とする槽内の充填構造。
【請求項２】
上下方向のパイプが、前後方向のパイプと左右方向のパイプに結合している請求項１に記載の槽内の充填構造。
【請求項３】
上下方向のパイプが、前後方向のパイプに一体形成した縦短管と、左右方向のパイプに一体形成した縦短管を、上下に接続して設けたものである請求項２に記載の槽内の充填構造。
【請求項４】
槽内に充填する合成樹脂製の充填材であって、横パイプの両側に、上下に接続可能な複数本の縦短管を一体形成してなる充填材。
【請求項５】
横パイプの両側に２本ずつ合計４本の縦短管を一組として複数組の縦短管を等間隔をあけて一体形成すると共に、各組の４本の縦短管の相互間隔を等しくした請求項４に記載の充填材。
【請求項６】
横パイプと縦短管に通水孔を形成した請求項４又は請求項５に記載の充填材。
【請求項７】
縦短管の上端の内面又は下端の内面から上方又は下方に突き出す複数の接続用突片を形成した請求項４ないし請求項６のいずれかに記載の充填材。
【請求項８】
横パイプの一端に係止部を形成し、この係止部に係合可能な係合部を横パイプの他端に形成した請求項４ないし請求項７のいずれかに記載の充填材。
【発明の詳細な説明】
【０００１】
【発明の属する技術分野】
本発明は、雨水貯溜浸透槽などの槽内の充填構造とその充填材に関する。
【０００２】
【従来の技術】
近年、雨水の有効利用や大雨による水害の防止を図るため、雨水を一時的に貯溜して徐々に地下に浸透、排水させる雨水貯溜浸透槽が地中に設けられるようになってきた。
【０００３】
この雨水貯溜浸透槽は、耐圧強度を高めるために、槽内に充填材としてパイプ等を垂直に立てた状態で充填したり、パイプ等を水平に積み重ねた状態で充填したものが多い。
【０００４】
【発明が解決しようとする課題】
しかしながら、充填材としてパイプを充填した雨水貯溜浸透槽は、パイプの長さ方向の耐圧強度を高めることはできても、パイプに直角な方向の耐圧強度を高めることができないため、次のような問題があった。
【０００５】
即ち、充填材としてパイプを垂直に立てた状態で充填した雨水貯溜浸透槽は、上方からの圧力に対する強度は向上するけれども、側方からの圧力に対する強度が不充分であるため、周囲からの土圧によって雨水貯溜浸透槽が崩壊する懸念があった。
【０００６】
これに対し、充填材としてパイプを水平に積み重ねた状態で充填した雨水貯溜浸透槽は、側方からの土圧に対する強度は向上するけれども、上方からの土圧や車両荷重等に対する強度が不充分であるため、上方から押し潰される懸念があった。
【０００７】
本発明は上記の問題に対処すべくなされたもので、その目的とするところは、前後、左右、上下のいずれの方向の圧力に対しても大きい強度を有する槽内の充填構造と、それに用いる充填材を提供することにある。
【０００８】
【課題を解決するための手段】
上記目的を達成するため、本発明の請求項１に係る槽内の充填構造は、前後方向の２本以上のパイプと左右方向の２本以上のパイプを交互に積み上げると共に、これらのパイプの間に上下方向の２本以上のパイプを設けて、槽内に充填したことを特徴とする。
【０００９】
このような充填構造では、前後方向のパイプによって前後方向の耐圧強度が高められ、左右方向のパイプによって左右方向の耐圧強度が高められ、上下方向のパイプによって上下方向の耐圧強度が高められるため、前後、左右、上下いずれの方向の圧力に対しても大きい強度を有する槽が形成されることになる。
【００１０】
次に、本発明の請求項２に係る槽内の充填構造は、上記請求項１の充填構造において、その上下方向のパイプが、前後方向のパイプと左右方向のパイプに結合していることを特徴とする。
【００１１】
この充填構造のように、上下方向のパイプが前後方向のパイプと左右方向のパイプに結合していると、前後方向、左右方向、上下方向のすべてのパイプが互いに一体化されてブロック状となるため、前後、左右、上下の方向の圧力のみならず、全ての方向の圧力に対する強度が総体的に向上することになる。
【００１２】
次に、本発明の請求項３に係る槽内の充填構造は、上記請求項２の充填構造において、その上下方向のパイプが、前後方向のパイプに一体形成した縦短管と、左右方向のパイプに一体形成した縦短管を、上下に接続して設けたものであることを特徴とする。
【００１３】
このような充填構造は、前後方向のパイプと左右方向のパイプを交互に積み上げる際にそれぞれの縦短管を上下に接続することによって、前後方向及び左右方向のパイプの積上げと同時に上下方向のパイプを立設できるため、上下方向のパイプを別途立設することが不要となり、充填作業を効率良く行うことができる。
【００１４】
次に、本発明の請求項４に係る充填材は、槽内に充填する合成樹脂製の充填材であって、横パイプの両側に、上下に接続可能な複数本の縦短管を一体形成してなることを特徴とする。
【００１５】
このような充填材は、前後方向に横パイプを向けて槽内の底部に敷き並べ、その上に、左右方向に横パイプを向けて積み上げると同時に、下側の前後方向の横パイプの縦短管に上側の左右方向の横パイプの縦短管を接続し、更に、その上に、前後方向に横パイプを向けて積み上げると同時に、この前後方向の横パイプの縦短管を下側の左右方向の横パイプの縦短管に接続し、以後、この作業を繰り返すことによって効率良く槽内に充填することができる。このように充填すると、前後方向及び左右方向の横パイプと、上下に接続された縦短管からなる上下方向のパイプが互いに一体化されてブロック状となるため、前後、左右、上下の方向の圧力のみならず、全ての方向の圧力に対する強度を総体的に向上させることが可能となる。また、このような合成樹脂製の充填材は、単一の金型を用いて射出成形することにより、比較的安価に量産することができる。
【００１６】
次に、本発明の請求項５に係る充填材は、上記請求項４の充填材において、その横パイプの両側に２本ずつ合計４本の縦短管を一組として複数組の縦短管を等間隔をあけて一体形成すると共に、各組の４本の縦短管の相互間隔を等しくしたことを特徴とする。
【００１７】
このような充填材は、横パイプを前後方向及び左右方向に交互に向けて積み上げる際に、４本一組の縦短管同士を上下に複数組ずつ接続して、頑丈なブロック状に一体化して充填することができる。
【００１８】
次に、本発明の請求項６に係る充填材は、上記請求項４又は５の充填材において、その横パイプと縦短管に通水孔を形成したことを特徴とする。
【００１９】
このような充填材を槽内に充填すると、通水孔から雨水を横パイプや縦短管（上下方向のパイプ）の内部に導入して貯溜できるので、充填材による貯水容量の減少を最小限に抑えることができる。
【００２０】
次に、本発明の請求項７に係る充填材は、上記請求項４〜６のいずれかの充填材において、その縦短管の上端の内面又は下端の内面から上方又は下方に突き出す複数の接続用突片を形成したことを特徴とする。
【００２１】
このような充填材は、縦短管の接続用突片を上側又は下側の縦短管に差し込むことによって、縦短管を同軸的に上下に接続して真直ぐな上下方向のパイプを形成することができる。
【００２２】
次に、本発明の請求項８に係る充填材は、上記請求項４〜７のいずれかの充填材において、その横パイプの一端に係止部を形成し、この係止部に係合可能な係合部を横パイプの他端に形成したことを特徴とする。
【００２３】
このような充填材は、横パイプ同士を接続する際、一方の横パイプの一端の係止部に他方の横パイプの他端の係合部を係合させることによって、双方の横パイプを分離しないように確実に接続することができる。
【００２４】
【発明の実施の形態】
以下、図面を参照して本発明の具体的な実施形態を詳述する。
【００２５】
図１は本発明の一実施形態に係る槽内の充填構造を示す概略断面図、図２は同充填構造に用いる本発明の充填材の斜視図、図３は同充填材の平面図、図４は同充填材の正面図、図５は同充填材の右側面図である。
【００２６】
図１に示す槽内の充填構造は、地中に形成された雨水貯溜浸透槽１の内部に、前後方向の多数本の合成樹脂製パイプ２と左右方向の多数本の合成樹脂製パイプ３を交互に積み上げると共に、これらのパイプ２，３の間に上下方向の多数本の合成樹脂製パイプ４を立設して充填したものであり、雨水貯溜浸透槽１の四側面と底面には透水シート１６が敷設されている。そして、この四側面及び底面の透水シート１６の内側と雨水貯溜浸透槽１の上面（天井面）には、合成樹脂製の平板５が添設されている。
【００２７】
この平板５は、図１１に示すように多数の通水孔５ａを有するもので、その片面には多数の環状のパイプ受部５ｂと縦横方向の複数の補強リブ５ｃが形成されており、これらのパイプ受部５ｂと補強リブ５ｃの形成された片面が内側となるように雨水貯溜浸透槽１の底面、四側面および上面に添設されている。そして、これら平板５のパイプ受部５ｂに、前後方向、左右方向、上下方向の各パイプ２，３，４の端部が嵌め込まれている。
【００２８】
上下方向のパイプ４は、前後方向のパイプ２と左右方向のパイプ３にそれぞれ結合され、これによって前後方向、左右方向、上下方向の全てのパイプ２，３，４が分離不能に一体化されている。更に具体的に説明すると、上下方向のパイプ４は、前後方向のパイプ２と左右方向のパイプ３の間に挿入して立設したものではなく、前後方向のパイプ２に一体形成された縦短管４ａと、左右方向のパイプ３に一体形成された縦短管４ａを上下に接続して立設したものであり、そのため前後方向、左右方向、上下方向の全てのパイプ２，３，４が分離不能に一体化されてブロック状となっている。
【００２９】
上記のような充填構造にすると、雨水貯溜浸透槽１の四側面に添設された平板５が前後方向及び左右方向のパイプ２，３により内側から支えられるため、該パイプ２，３によって前後方向及び左右方向の耐圧強度が高められ、また、雨水貯溜浸透槽１の上面に添設された平板５が上下方向のパイプ４によって下方から支えられるため、該パイプ４によって上下方向の耐圧強度が高められる。従って、前後、左右、上下いずれの方向の圧力に対しても大きい強度を有する雨水貯溜浸透槽１が形成されるので、周囲からの土圧によって雨水貯溜浸透槽１が崩壊したり、上方からの土圧や車両荷重等によって雨水貯溜浸透槽１が上方から押し潰されるような懸念が解消される。特に、上記の充填構造では前後方向、左右方向、上下方向の各パイプ２，３，４が分離不能に一体化されてブロック状となっているため、前後、左右、上下の方向の圧力のみならず、全ての方向の圧力に対する強度が総体的に向上するようになる。
【００３０】
尚、図１中、１１は導水管、１２は貯水ホール、１３は取水ポンプ、１４は取水管、１５はオーバーフロー管であり、雨水は導水管１１から雨水貯溜浸透槽１へ導入されて一時的に貯溜されると共に貯水ホール１２にも貯溜され、必要に応じて取水ポンプ１３で取水管１４から汲み上げられて有効に利用されるようになっている。そして、余分な雨水は、雨水貯溜浸透槽１の底面や四側面の平板５の通水孔５ａから透水シート１６を通って周囲の地中へ徐々に浸透、排水されるようになっており、また、過剰の雨水が雨水貯溜浸透槽１に導入されると、オーバーフロー管１５から排水されるようになっている。
【００３１】
上記の充填構造に用いる本発明の合成樹脂製の充填材は、図２に示すように、横パイプ６の両側に上下に接続可能な複数本の縦短管７を連結片を介して一体成形したものであって、このような充填材は、単一の金型を用いて射出成形することにより、比較的安価に量産することが可能である。
【００３２】
更に詳しく説明すると、この充填材は、横パイプ６の両側に２本ずつ合計４本の縦短管７（７ａ，７ｂ，７ｃ，７ｄ）を一組として三組の縦短管７を等間隔をあけて一体形成したものであり、横パイプ６は、その長さが１０００ｍｍ、外径が１００ｍｍ、厚みが２ｍｍの丸パイプに形成されている。そして、縦短管７は、その高さが１２５ｍｍ、外径が１００ｍｍ、厚みが２ｍｍの短い丸管に形成され、各組の４本の縦短管７（７ａ，７ｂ，７ｃ，７ｄ）の相互間隔は等しく設定されている。
【００３３】
また、各縦短管７には、その上端の内面から上方に突き出す４つの接続用突片８が形成されており、この接続用突片８を上側の縦短管７に下方から差し込むと、縦短管７同士を同軸的に上下に接続して真直ぐな上下方向のパイプ（前述したパイプ４）が形成されるようになっている。尚、この接続用突片８は、各縦短管７の下端の内面から下方へ突き出して一体形成してもよい。
【００３４】
この充填材の横パイプ６と縦短管７には通水孔９が形成され、この通水孔９から雨水が横パイプ６の内部や縦短管７の内部に流入できるようになっている。そのため、この充填材を後述する要領で雨水貯溜浸透槽１の内部に充填すると、槽内の雨水が横パイプ６や縦短管７の内部に流入して貯溜されるため、貯水容量の減少を最小限に抑制することができる。
【００３５】
また、図９，図１０に示すように、この充填材の横パイプ６の一端には小さな鉤形の係止部１０ａが形成され、他端にはこの係止部１０ａに係合可能なコ字形の係合部１０ｂが形成されている。そのため、この充填材の横パイプ６は、その一端の係止部１０ａに次の横パイプ６の他端の係合部１０ｂを係合させることによって、分離しないように確実に接続できるようになっている。
【００３６】
上記のような充填材を雨水貯溜浸透槽１の内部に充填する場合は、まず、雨水貯溜浸透槽１の底面の透水シート１６の上に前述の平板５を敷設し、図６に示すごとく、その平板５の上に例えば横パイプ６が左右方向となるように上記の充填材を三つ平行に敷き並べる。このとき、各充填材の縦短管７の下端は、平板５の前記環状のパイプ受部５ｂに嵌め込んで動かないように固定する。
【００３７】
かくして一段目の充填材の敷設が完了すると、図７に示すごとく、この一段目の充填材の上に、横パイプ６が前後方向となるように二段目の充填材を三つ平行に敷き並べ、この二段目の充填材の縦短管７の下端に一段目の充填材の縦短管７の接続用突片８を差し込んで上下に縦短管７を同軸的に接続する。そして、この二段目の充填材の上に、横パイプ６が左右方向となるように三段目の充填材を三つ平行に敷き並べて縦短管７を上下に接続し、以後、横パイプ６の向きを交互に前後方向と左右方向に変えながら、充填材を三つずつ八段積み上げる。このように充填材を八段積み上げると、図８に示すような１辺の長さが１０００ｍｍの実質的に立方体の形状をしたブロック状の充填材集合体が形成される。
【００３８】
そこで、この充填材集合体を一単位として雨水貯溜浸透槽１の内容積に見合った所定の単位数だけ前後左右に配列すると共に上下に積み重ね、隣接する充填材集合体の前後方向及び左右方向の横パイプ６同士を前述した要領で分離しないように接続すると共に、上下に重なる充填材集合体の縦短管７同士を前述した要領で同軸的に接続して真直ぐな上下方向のパイプ４を立設する。そして、前後方向及び左右方向の横パイプ６の端部を、雨水貯溜浸透槽１の四側面の透水シート１６の内側に添設された平板５の前記パイプ受部５ｂに嵌込んで固定すると共に、上下方向のパイプ４の上端つまり最上段の縦短管７を、雨水貯溜浸透槽１の上面に添設された平板５の前記パイプ受穴５ｂに嵌込んで固定し、充填作業を完了する。
【００３９】
上記のようにして充填材を雨水貯溜浸透槽１の槽内に充填すると、既述したように、雨水貯溜浸透槽１の四側面に添設された平板５が前後方向及び左右方向の横パイプ６により内側から支えられるため、前後方向及び左右方向の耐圧強度が高められ、また、雨水貯溜浸透槽１の上面に添設された平板５が、縦短管７を上下に接続して立設された上下方向のパイプによって下方から支えられるため、上下方向の耐圧強度が高められる。従って、周囲からの土圧によって雨水貯溜浸透槽１が崩壊したり、上方からの土圧や車両荷重等によって雨水貯溜浸透槽１が上方から押し潰されるような心配がなくなる。しかも、ブロック状の充填材集合体は、前後方向および左右方向の横パイプ６と、縦短管７を上下に接続した上下方向のパイプとが分離不能に一体化されて頑丈な立方体形状の充填材集合体となっているため、前後、左右、上下の方向の圧力のみならず、全ての方向の圧力に対する強度が総体的に向上するようになる。
【００４０】
以上、雨水貯溜浸透槽内に充填する場合を例にとって本発明を説明したが、本発明は雨水貯溜浸透槽に限らず、前後、左右、上下から大きい圧力が作用する地中の雨水貯溜槽その他の種々の槽に適用できるものである。
【００４１】
【発明の効果】
本発明の槽内の充填構造は、前後、左右、上下いずれの方向の耐圧強度も高められるので、地下の槽が周囲からの土圧によって崩壊したり、上方からの土圧や車両荷重等によって押し潰される心配を解消できるといった効果を奏する。そして、本発明の充填構造に用いる本発明の充填材は、単一の金型を用いて射出成形により比較的安価に量産することができ、積み上げ作業が簡単で効率良く槽内に充填することができ、前後、左右、上下のいずれの方向についても耐圧強度が大きい槽を構築できるといった効果を奏する。
【図面の簡単な説明】
【図１】本発明の一実施形態に係る槽内の充填構造を示す概略断面図である。
【図２】同充填構造に用いる本発明の充填材の斜視図である。
【図３】同充填材の平面図である。
【図４】同充填材の正面図である。
【図５】同充填材の右側面図である。
【図６】（ａ）は左右方向に横パイプを向けて同充填材を３つ平行に敷設したところを示す平面図であり、（ｂ）はその正面図である。
【図７】（ａ）は左右方向に横パイプを向けて３つ平行に敷設した同充填材の上に、上下方向に横パイプを向けて同充填材を３つ平行に積み上げたところを示す平面図であり、（ｂ）はその正面図である。
【図８】同充填材を積み上げてブロック状に一体化したところを示す正面図である。
【図９】同充填材の横パイプの端部斜視図である。
【図１０】同充填材の横パイプの接続状態を示す斜視図である。
【図１１】本発明の槽内の充填構造に使用される平板の平面図である。
【符号の説明】
１　雨水貯溜浸透槽
２　前後方向のパイプ
３　左右方向のパイプ
４　上下方向のパイプ
４ａ　前後方向および左右方向のパイプに結合した縦短管
５　平板
６　横パイプ
７，７ａ，７ｂ，７ｃ，７ｄ　縦短管
８　接続用突片
９　通水孔
１０ａ　係止部
１０ｂ　係合部
【図１】
2004003182.tif 000003
【図２】
2004003182.tif 000004
【図３】
2004003182.tif 000005
【図４】
2004003182.tif 000006
【図５】
2004003182.tif 000007
【図６】
2004003182.tif 000008
【図７】
2004003182.tif 000009
【図８】
2004003182.tif 000010
【図９】
2004003182.tif 000011
【図１０】
2004003182.tif 000012
【図１１】
2004003182.tif 000013